(57)【要約】【課題】結露の吸収と充分な断熱とを可能とする吸水断熱シートと、これを備えた飲料用容器とを提供可能とする。【解決手段】貼り付け部１１と、貼り付け部１１に接続されて折り畳まれる折り畳み部１２と、蓋部１３と、を有し、少なくともその一部が発泡性紙材からなる。【選択図】図１
2017178349.tif 000002
【特許請求の範囲】
【請求項１】
貼り付け部と、前記貼り付け部に接続されて折り畳まれる折り畳み部と、を有し、
少なくともその一部が発泡性紙材からなることを特徴とする吸水断熱シート。
【請求項２】
折り畳まれた前記折り畳み部を伸ばした長さが、前記貼り付け部よりも長く設定されていることを特徴とする請求項１記載の吸水断熱シート。
【請求項３】
前記貼り付け部に取り付けられて、折り畳まれた前記折り畳み部を覆う蓋部を有することを特徴とする請求項１または２記載の吸水断熱シート。
【請求項４】
前記折り畳み部と前記蓋部とが枚葉の前記発泡性紙材とされて、前記貼り付け部に貼り付けられていることを特徴とする請求項３記載の吸水断熱シート。
【請求項５】
前記貼り付け部には、前記吸水断熱シートを貼り付ける裏面と前記折り畳み部および前記蓋部が貼り付けられる表面とを有し、前記折り畳み部の基端が前記貼り付け部表面に貼り付けられ、前記蓋部の先端が前記貼り付け部表面に剥離可能に貼り付けられて折り畳まれた前記折り畳み部を覆うことを特徴とする請求項３または４記載の吸水断熱シート。
【請求項６】
印刷表示部を有することを特徴とする請求項１から５のいずれか記載の吸水断熱シート。
【請求項７】
請求項１から６のいずれか記載の吸水断熱シートが側面に貼り付けられていることを特徴とするシート付き容器。
【請求項８】
前記吸水断熱シートを拡げた際に、前記折り畳み部と前記蓋部とが前記側面を一周する長さとされることを特徴とする請求項７記載のシート付き容器。
【請求項９】
飲料用缶とされることを特徴とする請求項７または８記載のシート付き容器。
【発明の詳細な説明】
【技術分野】
【０００１】
本発明は吸水断熱シートおよびシート付き容器に関し、特に飲料や食品を収容する容器を断熱することや結露等の水分が容器側面を滴下することを防止する際に用いて好適な技術に関する。
【背景技術】
【０００２】
従来から、冷温状態が好まれるビールやその他の飲料などに用いられている飲料用容器は、ほとんどが熱伝導率の高いアルミニウム缶である。このように、熱伝導率の高いアルミニウム缶とすることで冷蔵する際には効率的に冷やすことができるというメリットが得られる。その反面、冷蔵庫から取り出した後は、室内の空気や缶を持つ手から伝わる熱によって缶内のビール等が急速に温まってしまうデメリットがあり、利用者がビールや飲料を飲み終えるまでの間にビールや冷飲料の味が損なわれてしまうという問題があった。
【０００３】
また、ビールなどの保冷された缶入飲料では、冷蔵ケースから取出され外気に触れると、缶容器表面の温度が外気の露点温度よりも低いために結露する場合が多い。特に夏季においては、缶容器表面と外気温との温度差が大きく、かつ、相対湿度が高いため、ほとんどの場合に結露現象が起き、缶の表面に水滴が多数付着してしまう。このため、結露の水滴により缶を持つ手が濡れてしまう、あるいは、缶を置いているテーブルが濡れてしまう、さらに、結露によって包装紙が浸潤され包装紙の破損や変形の原因となる、という問題もあった。
【０００４】
また、ホット状態が好まれるお茶、コーヒー、紅茶などその他の飲料などに用いられる飲料用容器の缶についても同様に、殆どが熱伝導率の高い金属製とされており、加温する際には効率的に温めることができるというメリットが得られる。その反面、熱すぎて直接手で握れない、あるいは、保温庫から取り出した後は、室内の空気や缶を持つ手から伝わる熱によって缶内のコーヒー等が急速に冷めてしまい、利用者がお茶などの飲料を飲み終えるまでの間に温飲料の風合いが損なわれてしまう、という問題があった。
【０００５】
このような不都合を防止するため種々の工夫がなされている。例えば防熱シールや断熱シートを缶等の容器の外周に巻き付け、巻き付けた部分を介して容器をつかめば、容器が熱すぎても冷たすぎても持って内容物を飲むことができるものが知られている（特許文献１、特許文献２）。
【０００６】
また、コーヒー、スープ、みそ汁、汁粉等の飲料や、ラーメン、焼きそば、うどん等の麺類や、あるいはピラフ、グラタン等の電子レンジで容器ごと加熱して飲食する調理食品用容器としての紙カップ容器においても、飲食時に内容物の熱から容器を把持する指を保護するために断熱対策を施している。例えば、カップの周囲に断熱性の発泡プラスチックシートを周設する方法が知られている。
【０００７】
さらに、この方法では熱湯等の収容物を入れた際の断熱性には優れているものの、これを電子レンジで加熱すると、発泡プラスチックシートも非常に熱くなる。これは電子レンジ加熱の際、収容物が熱くなると共にカップ容器や周りの発泡プラスチックシートも熱せられる。さらに、発泡プラスチックシートはカップ状容器に接してあるため熱が冷めにくいため等と考えられる。
【０００８】
このように、材質に発泡樹脂を使用する方法は、表面に綺麗な印刷を施すことが難しく、また、燃焼カロリーが高く、焼却、廃棄上問題があり、さらには消費者の環境意識の高まりに伴う消費行動の変化により、発泡樹脂に代わる易廃棄性、易焼却性の容器および断熱シートが求められている。
【０００９】
さらに、焼きそば、つけめん、スパゲッティなど、一旦注いだ湯を、麺が戻った時点で捨てる、いわゆる湯切り操作を必要とする食品がある。
従来、湯を注いで使用する容器の材料としても、発泡ポリスチレン樹脂等の断熱性を有する材料が広く用いられていたが、近年環境対応および材料コスト削減の目的から、プラスチックに替って紙容器が用いられるようになってきた（特許文献３）。紙容器を紙の単層で作成した場合、発泡プラスチック容器に比較して断熱性が劣るため、湯切り操作を要する用途には特別の配慮が必要である。
【先行技術文献】
【特許文献】
【００１０】
【特許文献１】実開平６−４７１４４号公報
【特許文献２】実開平６−７６１４３号公報
【特許文献３】特開２０１０−０７６８１２号公報
【発明の概要】
【発明が解決しようとする課題】
【００１１】
しかし、特許文献１，２記載の断熱シートでは、比較的薄いため、断熱が充分でない。その結果、温飲料の入った容器はたいてい熱すぎて快適に持つことができない。また、冷飲料の入った容器の外面には水分がつくことが多く、それによって容器の保持が困難になり、持っている人の手やテーブルを濡らしてしまう。そのうえ、断熱性能が足りないため、冷飲料は温くなりやすく、温飲料はすぐに冷めてしまうという問題がある。
【００１２】
さらに、このような断熱シートは容器外側の全面を被覆してしまうため、すべての印刷を隠して広告部分が見えなくなってしまう。特に、缶コーヒーなど特定の商品では、購入者がブランド・ロゴにこだわりを持っていることが多く、缶外表面が見えなくなってしまうことは好ましくない。このような状態に対応するため、透明な断熱シートが作られてはいるが、一般的にそれらは伝導性材料を原料として、その伝導性材料と容器とが密接しているため、断熱シートとしての有効性がほぼ失われてしまう。反対に、充分な断熱効果を呈する断熱シートはかさばり過ぎるため、コンビニエンスストアなどの狭い収納スペースをとり過ぎてしまうか、または、自動販売機に収納できなくなるという問題がある。
【００１３】
本発明は、上記の事情に鑑みてなされたもので、以下の目的を達成しようとするものである。
１．結露等の水分の吸収と充分な断熱とを可能とする吸水断熱シート、および、これを備えた飲料用容器を提供可能とすること。
２．デザイン性を阻害することなく、充分な断熱吸水効果を呈すること。
３．薄厚化と断熱性能とを両立すること。
４．容器としての体積増加を抑制してほとんど影響を来さないこと。
５．射幸性を刺激し、機能性に優れること。
【課題を解決するための手段】
【００１４】
本発明の吸水断熱シートは、貼り付け部と、前記貼り付け部に接続されて折り畳まれる折り畳み部と、を有し、
少なくともその一部が発泡性紙材からなることにより上記課題を解決した。
本発明において、折り畳まれた前記折り畳み部を伸ばした長さが、前記貼り付け部よりも長く設定されていることが好ましい。
本発明は、前記貼り付け部に取り付けられて、折り畳まれた前記折り畳み部を覆う蓋部を有することが可能である。
また、本発明において、前記折り畳み部と前記蓋部とが枚葉の前記発泡性紙材とされて、前記貼り付け部に貼り付けられている手段を採用することもできる。
また、前記貼り付け部には、前記吸水断熱シートを貼り付ける裏面と前記折り畳み部および前記蓋部が貼り付けられる表面とを有し、前記折り畳み部の基端が前記貼り付け部表面に貼り付けられ、前記蓋部の先端が前記貼り付け部表面に剥離可能に貼り付けられて折り畳まれた前記折り畳み部を覆うことができる。
本発明の吸水断熱シートは、印刷表示部を有することができる。
本発明のシート付き容器は、上記のいずれか記載の吸水断熱シートが側面に貼り付けられていることが可能である。
また、本発明のシート付き容器は、前記吸水断熱シートを拡げた際に、前記折り畳み部と前記蓋部とが前記側面を一周する長さとされることが好ましい。
本発明のシート付き容器は、飲料用缶とされることができる。
【００１５】
本発明の吸水断熱シートは、貼り付け部と、前記貼り付け部に接続されて折り畳まれる折り畳み部と、を有し、
少なくともその一部が発泡性紙材からなることにより、充分な断熱性を有しており、容器に貼り付けた際に、容器内部の温度に関係なく、保持する手指を断熱して容器を握ることが可能となる。同時に、発泡性紙材が吸湿性・吸水性を有するため、容器に貼り付けた際に、容器表面の結露あるいは、表記表面で垂れてきた水分を吸収することができ、容器下部付近の底部までこれらの水分が垂れてしまうことを防止することができる。
【００１６】
ここで、発泡性紙材とは、空隙率が６９％程度以上と高く、密度が０．３〜０．０１ｇ／ｃｍ３程度の範囲、より好ましくは、密度０．２５〜０．０５ｇ／ｃｍ３の範囲とされるシート状の紙材を意味する。なお、坪量はシート状の紙材における厚さ寸法に依存するので、本発明で重要なのは密度である。紙材の密度が上記の範囲よりも高いと、含有する空気の量が少ないため充分な断熱性を呈さない可能性があるため好ましくなく、紙材の密度が上記の範囲よりも低いと、シートとしての強度が保てず、印刷等の製造工程あるいは使用時に破断してしまう可能性があるため好ましくない。
【００１７】
本発明において、折り畳まれた前記折り畳み部を伸ばした長さが、前記貼り付け部よりも長く設定されていることにより、折り畳んで容器側面に貼り付けた際に、容器側面に形成された表示領域を必要以上に隠すことがなく、容器側面のデザイン性を阻害することがない。また、容器側面に貼り付けて折り畳み部を伸張することにより、貼り付けた面積に比べて容器側面の広い部分を覆うことができ、高温の容器の場合には断熱性を広い領域で呈して把持性を向上できるとともに、低温の容器の場合には吸水性を広い領域で呈することが可能となる。
【００１８】
本発明は、前記貼り付け部に取り付けられて、折り畳まれた前記折り畳み部を覆う蓋部を有することにより、この蓋部を開封することで、はじめて折り畳み部を伸張させることを可能な状態に収納することができるため、吸水断熱シートを容器側面に貼り付けた際に、この容器が自動販売機等に収納されても、不用意に折り畳み部が伸張してしまうことを防止できる。また、折り畳み部を伸張した場合に、蓋部の表面（外側面）とは異なる面を提示することができるので、広告、レシピ、説明、あるいは、クジ等情報を表示部（印刷表示部）として折り畳み部や蓋部の裏面（内側面）に設けて、折り畳み部を折り畳んで収納した状態ではこの表示部を隠匿しておき、容器購入者が蓋部を開封してはじめて表示部を視認可能な状態とすることができる。
【００１９】
また、本発明において、前記折り畳み部と前記蓋部とが枚葉の前記発泡性紙材とされて、前記貼り付け部に貼り付けられていることにより、前記折り畳み部と前記蓋部とを最も伸張することで、発泡性紙材の長さを有効に作用させることができ、例えば、容器側面において、発泡性紙材で全周を覆う状態にすることができる。また、貼り付け部に、この枚葉の前記折り畳み部と前記蓋部とを折り畳んで貼り付けるだけで、吸水断熱シートを形成することができるため、製造工程を低減して、製造コストを削減することができる。
【００２０】
また、前記貼り付け部には、前記吸水断熱シートを貼り付ける裏面と前記折り畳み部および前記蓋部が貼り付けられる表面とを有し、前記折り畳み部の基端が前記貼り付け部表面に貼り付けられ、前記蓋部の先端が前記貼り付け部表面に剥離可能に貼り付けられて折り畳まれた前記折り畳み部を覆うことにより、貼り付けられた部分以外に表示領域を設けることができるとともに、伸張した蓋部の先端と、伸張した折り畳み部先端とを再接着して、吸水断熱シートが、容器側面の全周を覆うとともに、容器側面から離脱しないようにすることが容易となる。
【００２１】
本発明の吸水断熱シートは、印刷表示部を有することにより、貼り付ける容器側面とは異なる情報を表示して、これらの情報を視認させることができる。これにより、容器側面のみの表示量に比べて、表示する情報量を格段に増大させることができる。
【００２２】
本発明のシート付き容器は、上記のいずれか記載の吸水断熱シートが側面に貼り付けられていることにより、断熱性に優れて高温の内容物を収納した場合でも手で容易に把持することができるとともに、吸水性に優れ低温の内お湯物を収納した場合でも結露の水滴あるいは呑みこぼしなどが底部まで垂れないようにすることができる。同時に、容器側面のデザイン性を損なうことなく、側面の面積に比べて大量の情報を表示することが可能となる。またこれを、容器の体積を必要以上に増大させることなく実現することができる。
【００２３】
また、本発明のシート付き容器は、前記吸水断熱シートを拡げた際に、前記折り畳み部と前記蓋部とが前記側面を一周する長さとされることにより、容器側面の全周を吸水断熱シートで覆うことができるため、容器を手で持つ際の安定性を向上するとともに、水分が下部まで垂れることがない。
【００２４】
本発明のシート付き容器は、飲料用缶とされることにより、ホット飲料、あるいは、クール飲料に対応して、缶側面のデザイン性を阻害することなく、断熱性能、吸水性能、表示機能を呈することが可能となる。
【発明の効果】
【００２５】
本発明によれば、折り畳んでその面積を小さくした状態で、容器側面のデザイン性を阻害することなく、断熱性能、吸水性能、表示機能を呈し、安定した容器把持、結露等の水分の底部への垂れ、クジ等を表示領域として設けて射倖性を呈することなどができる吸水断熱シートおよびこの吸水断熱シート付き容器を提供することができるという効果を奏することが可能となる。
【図面の簡単な説明】
【００２６】
【図１】本発明に係る吸水断熱シートの第１実施形態における折り畳んだ状態を示す斜視図である。
【図２】本発明に係る吸水断熱シートの第１実施形態における開封開始状態を示す斜視図である。
【図３】本発明に係る吸水断熱シートの第１実施形態における開封状態を示す斜視図である。
【図４】本発明に係る吸水断熱シートの第１実施形態における発泡性紙材を示す模式断面図である。
【図５】本発明に係るシート付き容器の第１実施形態を示す斜視図である。
【図６】本発明に係るシート付き容器の第１実施形態におけるシートを全周に伸張した状態を示す平断面図である。
【図７】本発明に係るシート付き容器の他の実施形態を示す平面展開図である。
【図８】本発明に係るシート付き容器の第２実施形態を示す斜視図である。
【図９】本発明に係るシート付き容器の第３実施形態を示す正面図である。
【図１０】本発明に係るシート付き容器の第４実施形態を示す正面図である。
【図１１】本発明に係るシート付き容器の第５実施形態を示す正面図である。
【図１２】本発明に係るシート付き容器の第６実施形態を示す斜視図である。
【図１３】本発明に係るシート付き容器の第７実施形態を示す正面図である。
【発明を実施するための形態】
【００２７】
以下、本発明に係る吸水断熱シートおよびシート付き容器の第１実施形態を、図面に基づいて説明する。
図１〜図３は、本実施形態における吸水断熱シートを示す斜視図であり、図４は、本実施形態における吸水断熱シートの発泡性紙材を示す断面図であり、図において、符号１０は、吸水断熱シートである。
【００２８】
本実施形態に係る吸水断熱シート１０は、図１〜図３に示すように、貼り付け部１１と、貼り付け部１１に接続されて折り畳まれる折り畳み部１２と、折り畳み部１２を覆う蓋部１３と、を有する。
【００２９】
貼り付け部１１は、図４に示すように、発泡性紙材からなるものとされ、発泡部１１１の内部に空気１１２を含有しており、いわゆるすかすかの状態になっていて熱の伝導性を低くしている。
ここで、発泡性紙材とは、空隙率が６９％程度以上と高く、密度が０．３〜０．０１ｇ／ｃｍ３程度の範囲、より好ましくは、密度０．２５〜０．０５ｇ／ｃｍ３の範囲とされるシート状の紙材を意味する。紙材の密度が上記の範囲よりも高いと、含有する空気の量が少ないため充分な断熱性および吸水性を呈さない可能性があるため好ましくなく、紙材の密度が上記の範囲よりも低いと、強度が保てず、印刷等の製造工程あるいは使用時に破断してしまう可能性があるため好ましくない。
【００３０】
なお、発泡性紙材における厚さ寸法は、０．３５〜１．０ｍｍ程度の範囲とされ、より好ましくは、０．５〜０．７５ｍｍ程度とされることができる。この場合、坪量は１００〜１５０ｇ／ｍ２程度となるが、断熱性および吸水性で重要なのは密度であり、坪量は、使用状態によって設定される厚さ寸法に応じて、適宜数値範囲が変更してしまうことが可能である。このような発泡性紙材としては、王子特殊紙株式会社製のフワットライト（登録商標）等を例示することができる。
【００３１】
同様に、折り畳み部１２と蓋部１３とも、発泡性紙材とされている。折り畳み部１２と蓋部１３とは、等幅の枚葉の発泡性紙材を、幅方向に延在する罫線（折り線）にしたがって折り曲げ方向に多片となるように折り曲げたものとされている。具体的には、折り畳み部１２と蓋部１３とは、図３に示すように、右から、蓋部１３、折り畳み部１２ａ、折り畳み部１２ｂ、折り畳み部１２ｃが長さ方向に順に連続した状態に形成されている。
【００３２】
蓋部１３の折り曲げ方向における長さは、折り畳み部１２ａ、折り畳み部１２ｂ、折り畳み部１２ｃの折り曲げ方向における長さに比べて大きく設定されている。蓋部１３は、折り畳み部１２と蓋部１３とが折り畳まれた際に、図１に示すように、折り畳み部１２を覆って、外部から折り畳み部１２の表面が見えない状態に設定されている。
【００３３】
折り畳み部１２と蓋部１３とは、折り畳み部１２と蓋部１３との境界付近、具体的には、蓋部１３に隣接する折り畳み部１２ａの基端部に設けられた貼り合わせ部１４によって貼り付け部１１の表面に接続されている。貼り合わせ部１４は、折り畳み部１２ａの幅方向全長に設けられているとともに、図における貼り付け部１１の右側端部となる幅方向全長に設けられている。
【００３４】
蓋部１３の先端側には、折り畳み部１２を覆った蓋部１３先端を貼り付け部１１に接着する接着部１６が設けられている。接着部１６は、後述する易剥離部１５によって再開封再接着可能とされている。また、接着部１６は、折り畳み部１２と蓋部１３とを折り畳んだ際に貼り合わせ部１１表面と対向する内面側に位置する。この接着部１６の設けられた蓋部１３の内面は、折り畳み部１２と蓋部１３とを延伸させて拡げた場合には、貼り合わせ部１４の設けられた貼り付け部１１表面と同じ外向き位置となる。
【００３５】
貼り付け部１１における貼り合わせ部１４と逆側端部、つまり、図における貼り付け部１１の左側端部となる幅方向全長には、折り畳み部１２を覆った蓋部１３先端を再開封可能に接着するための易剥離部１５が設けられている。この易剥離部１５は、発泡性紙材の表面にニスの塗布等の表面処理をおこなったものとされる。
蓋部１３において接着部１６よりも基端側位置には、易剥離部１５と同様の易剥離部１６ｂが形成されている。この易剥離部１６ｂは、接着部１６となる接着剤の塗布工程で接着剤がはみ出して、折り畳んだ際に、折り畳み部１２側に接着してしまうことを防止するためのものである。
【００３６】
貼り付け部１１の裏面には、図４に示すように、糊部１１ａがその全面に形成されて、吸水断熱シート１０を後述する容器Ｃ等に貼り付け可能とされている。容器Ｃに貼り付ける前状態においては、図１〜図３に示すように、糊部１１ａは、その全面が剥離紙１０ａに覆われるようにすることができる。
【００３７】
貼り付け部１１の表面と、折り畳み部１２の表面・裏面と、蓋部１３の表裏面には、それぞれ印刷等の手段により、表示部（印刷表示部）１７を形成して所定の部分を情報表示のための領域とすることができる。なお、図３においては、蓋部１３の内面および折り畳み部１２ｃのみに表示部１７を示したが、これは一例であり、表示部１７の配置はこの構成に限定されるものではない。
【００３８】
本実施形態の吸水断熱シート１０は、図１に示すように、折り畳み部１２が折り畳まれて蓋部１３に覆われ、接着部１６が易剥離部１５に接着されていることで、蓋部１３の先端が貼り合わせ部１１に接着されて折り畳み部１２が蓋部１３で隠蔽された状態となっている。なお、剥離紙１０ａが糊部１１ａに貼り付けられていることができる。
【００３９】
この状態で、図５に示すように、剥離紙１０ａを剥離して、吸水断熱シート１０を容器Ｃ側面に貼り付けることもできる。
次に、図２に示すように、接着部１６を易剥離部１５から剥離して、蓋部１３の先端を貼り合わせ部１１から離間した状態とする。すると、折り畳み部１２が、折り畳まれた状態から開いてくる。
【００４０】
次に、図３に示すように、蓋部１３の先端を貼り合わせ部１１からさらに離間した状態にまで開く。すると、折り畳み部１２が折り畳まれた状態から開かれていき、さらに折り曲げた部分を伸ばしてゆく。
すると、折り畳み部１２および蓋部１３が、貼り付け部１１よりも開き方向に大きな寸法に開いてまっすぐに伸張した状態とすることができる。このように折り畳まれた状態における貼り合わせ部１１の面積に比べて、広がった吸水断熱シート１０の面積を利用して、把持時の断熱、吸水等に利用する。
【００４１】
本実施形態の吸水断熱シート１０を製造するには、所定の文字・デザインなどを印刷した幅方向に連続する折り畳み部１２および蓋部１３となる枚葉の発泡性紙材シートを供給し、幅方向にコーター等で易剥離部１６ｂとなる領域にニス等を塗布し、罫線から折り畳み部１２と蓋部１３とを折り畳んだ後、接着部１６となる接着剤を塗布する。同時に、所定の文字・デザインなどを印刷した幅方向に連続する貼り付け部１１となる枚葉の発泡性紙材シートを供給し、裏面全域に糊部１１ａを形成した後に、剥離紙１０ａに貼り付けて、表面に幅方向にコーター等で易剥離部１５となる領域にニス等を塗布する。その後、貼り合わせ部１４となる粘着材を塗布して、折り畳まれた折り畳み部１２および蓋部１３となる枚葉の発泡性紙材シートと貼り合わせるとともに、所定の幅寸法となるように切断して、剥離紙１０ａに貼り付けられた状態の吸水断熱シート１０を完成する。
【００４２】
また吸水断熱性シート1０の表面、特に蓋部１３の外側面にアイキャッチ効果や情報開示等を狙った表示部１７を印刷することによって、吸水断熱シート1０を広告ラベルとして兼用することも可能である。その場合、蓋部１３の外側面に、コート層とされる非発泡層を設けた構成とすることもでき、これによって表面の平滑性を一層高めて、高精細な印刷をおこなうことを可能として印刷効果を高めることができる。
【００４３】
本実施形態のシート付き容器Ｃは、図５に示すように、軸方向全長にわたって略均一な径寸法を有するタイプの飲料用缶容器とされ、その側面に折り畳まれた吸水断熱シート１０が貼り付けられている。
【００４４】
この状態で、シート付き容器Ｃは、貼り付けた吸水断熱シート１０によってほとんど容積・外形が変わらないため、吸水断熱シート１０を貼り付けていない容器Ｃと同様に、コンビニエンスストアなどの店頭、あるいは、自動販売機などにおいて販売されることができる。
【００４５】
シート付き容器Ｃにおいて、上述したように吸水断熱シート１０を延伸した場合には、図６に示すように、吸水断熱シート１０が容器Ｃの胴部を一周する。そして、容器Ｃの径方向外側を向いた接着部１６に対して、そのさらに外側から、周方向反対側から延びてきた折り畳み部１２ｃの先端部分を接触させることができる。折り畳み部１２ｃには易剥離部が設けられてないので、接着部１６と折り畳み部１２ｃとが比較的強固に接着される。これにより、吸水断熱シート１０が容器胴部周囲を一周した状態で固定された状態を維持することができる。
【００４６】
シート付き容器Ｃが、例えば、熱伝導率の高いアルミニウム缶とされて、冷温状態のビールやその他の冷飲料が収納されたものとする。この場合、シート付き容器Ｃを冷蔵庫から取り出した後であっても、延伸させた吸水断熱シート１０によって容器Ｃ側面を覆うことにより、室内の空気や缶を持つ手から伝わる熱によって缶内のビールが温まることを低減して、利用者がビールや飲料を飲み終えるまでの間にビールや飲料の風味が損なわれないようにすることができる。
【００４７】
また、ビールなどが収納されて保冷された缶とされたシート付き容器Ｃでは、相対湿度が高く、かつ、容器Ｃ表面と外気温との温度差が大きい夏季等においても、外気の露点温度よりも低い温度の容器Ｃ表面が冷蔵ケースから取出され外気に触れて結露現象が起き、容器Ｃの表面に水滴が多数付着した場合であっても、延伸させた吸水断熱シート１０によって容器Ｃ側面を覆うことにより、容器Ｃの全周で結露の水滴等をこの吸水断熱シート１０で吸収することができる。このため、結露の水滴により容器Ｃを持つ手が濡れてしまうことを防止し、容器Ｃを置いているテーブルが濡れてしまうことを防止し、さらに、結露によって容器Ｃを包装した包装紙が浸潤され包装紙の破損や変形の原因となることを防止することができる。
【００４８】
また、シート付き容器Ｃが、熱伝導率の高い金属製の缶とされて、ホット状態が好まれるお茶、コーヒー、紅茶などその他の温飲料などに用いられた場合にも、同様に、吸水断熱シート１０を延伸することにより、折り畳んだ状態よりも面積の拡大した吸水断熱シート１０で容器Ｃの全周を覆ってその全域で断熱効果を呈し、熱すぎて直接手で握れないことを防止し、保温庫から取り出した後は、室内の空気や容器Ｃを持つ手から伝わる熱によって容器Ｃ内の温飲料が急速に冷めてしまい、利用者がお茶などの飲料を飲み終えるまでの間に飲料の風合いが損なわれてしまうことを低減することが可能となる。
【００４９】
本実施形態のシート付き容器Ｃは、折り畳まれて容器Ｃの表面におけるデザイン性を阻害することなく吸水断熱シート１０を貼り付け可能であるとともに、延伸させて吸水断熱シート１０を容器Ｃの外周に巻き付けた状態で固定し、覆った全域で断熱性を呈することにより、この巻き付けた部分を介して容器をつかめば、容器が熱すぎても冷たすぎても持って内容物を飲むことができる。同時に、結露の水滴、呑みこぼし等が垂れてきた場合に水分を吸収して、容器Ｃの底部まで垂れてしまうことを防止できる。
したがって、断熱性と、吸水性とを同時に呈することができる。
【００５０】
さらに、折り畳んだ吸水断熱シート１０を貼り付けた店頭陳列状態とした場合、吸水断熱シート１０が飲料用容器Ｃの一部しか被覆していないため、吸水断熱シート１０が貼りついている部分以外に商品のロゴ・キャッチコピー等が印刷されていた場合、これを隠すことなく飲料用容器Ｃの販売促進をおこなってデザイン性を損なわない追加販促をおこなうことができる。
【００５１】
本実施形態の吸水断熱シート１０において、折り畳み部１２は、３つ折りとされたが、折り畳んで蓋部１３に覆い隠される状態であればその状態は限定されるものではなく、蓋部１３のみとして折り畳み部１２のない状態から、１０片程度の多数の折り畳み部１２を折り曲げ方向に連設する状態まで増やすことも可能である。また、容器Ｃの周方向の寸法に応じて、一周して固定可能なようにその折り曲げ方向の寸法を設定することができる。あるいは、折り畳み部１２を蓋部１３と別の発泡性紙材として貼り付け部１１に貼り付ける構成とすることなどもできる。
【００５２】
さらに、本実施形態の吸水断熱シート１０において、貼り付け部１、折り畳み部１２、蓋部１３は、均等な幅方向寸法としたが、これ以外にも、図７に示すように、幅方向外側に折れ片１２ｅ，１２ｄを連接しておくことなどもできる。なお、折れ片１２ｅ，１２ｄの接続位置は折り畳み部１２ａ〜１２ｃのどれでも構わない。
これにより、折り畳み部１２に設ける表示部１７の面積を増大して、表示部１７で表示させる表示情報の量を増大することができるとともに、例えば、クジなどの射倖性の高い情報を印刷した場合に、表示部１７を折り畳みの内側とすることで、開封前に内部の表示部１７に形成した表示情報を隠匿することを確実におこなうことが可能となる。
【００５３】
さらに、幅方向下側に位置する折り畳み部１２ｅなど折り畳まれた部分を、容器Ｃの底部全体よりも大きい輪郭形状として形成するとともに、容器Ｃの底部に届く長さとなるようにその形状を設定し、容器Ｃの底部に敷いてコースターのようにすることでもできる。これにより、容器Ｃ底部への液ダレを防ぐことが可能となる。
また、容器Ｃとして、飲み口の縮径したスクリューキャップ型とすることもできる。
【００５４】
以下、本発明に係る吸水断熱シートおよびシート付き容器の第２実施形態を、図面に基づいて説明する。
図８は、本実施形態におけるシート付き容器を示す斜視図であり、本実施形態において、上述した第１実施形態と異なるのは、容器の用途に関する点であり、これ以外の上述した第１実施形態と対応する構成には同一の符号を付してその説明を省略する。
【００５５】
本実施形態におけるシート付き容器Ｃ１は、コーヒー、スープ、みそ汁、汁粉等の飲料や、ラーメン、焼きそば、うどん等の麺類や、あるいはピラフ、グラタン等の電子レンジで容器ごと加熱して飲食する調理食品用紙容器とされて、折り畳まれた吸水断熱シート１０が周方向に延伸可能なように容器Ｃ１の側面に貼り付けられている。
【００５６】
本実施形態のシート付き容器Ｃ１においては、折り畳まれた吸水断熱シート１０を延伸して、容器Ｃ１の周囲に固定することによって、飲食時に内容物の熱から容器を把持する指を保護するために断熱対策とすることができる。
【００５７】
さらに、蓋部１３の表面に綺麗な印刷を施した状態とすることができ、また、燃焼カロリーが高く、焼却、廃棄上問題がある発泡樹脂に代わる易廃棄性、易焼却性の容器Ｃ１として、消費者の環境意識の高まりに伴う消費行動の変化に対応した容器Ｃ１を提供することが可能となる。
【００５８】
本実施形態におけるシート付き容器Ｃ１は、熱湯等の収容物を入れた際に充分な断熱性を呈することができるとともに、これを電子レンジで加熱した場合でも、発泡プラスチックシートを使用していないので非常に熱くなることがない。
【００５９】
以下、本発明に係る吸水断熱シートおよびシート付き容器の第３実施形態を、図面に基づいて説明する。
図９は、本実施形態におけるシート付き容器を示す正面図である。
本実施形態において上述した第１および第２実施形態と異なるのは容器の用途に関する点であり、これ以外の対応する構成要素に関しては、同一の符号を付してその説明を省略する。
【００６０】
本実施形態のシート付き容器Ｃ２は、例えば、飲食店等において用いられるジュース、サワー、ハイボールなどの冷飲料をいれる取っ手付きのガラスジョッキとされている。
【００６１】
本実施形態のシート付き容器Ｃ２においては、吸水断熱シート１０は、クジ等の射倖性を励起する表示情報が、折り畳み部１２あるいは蓋部１３の内面に印刷されている。例えば、吸水断熱シート１０は、剥離紙１０ａに貼り付けられたままで店舗に準備されていることができる。
【００６２】
このような店舗において、特定種類の飲料をオーダーした顧客に、オーダーされた飲料（氷入り）を注入されたジョッキとしての容器Ｃ２と、折り畳まれて剥離紙１０ａに貼り付けられた吸水断熱シート１０とを別々に供することができる。
顧客は、蓋部１３を開封することで、クジとしての表示情報を確認することができるとともに、折り畳み部１２および蓋部１３の延伸された吸水断熱シート１０を剥離紙１０ａから剥がして、容器Ｃ２の下部で取っ手より下側位置に貼り付ける。
【００６３】
本実施形態のシート付き容器Ｃ２においては、吸水断熱シート１０を開封して射幸心をかき立てるとともに、折り畳まれた吸水断熱シート１０を延伸して、容器Ｃ２の下部周囲に固定することによって、飲食時に内容物の温度により容器Ｃ２表面に付着して垂下する結露水滴および呑みこぼしの水分を吸収する。これによりテーブル汚し対策とすることができる。
【００６４】
以下、本発明に係る吸水断熱シートおよびシート付き容器の第４実施形態を、図面に基づいて説明する。
図１０は、本実施形態におけるシート付き容器を示す正面図である。
本実施形態において上述した第１〜第３実施形態と異なるのは容器の用途に関する点であり、これ以外の対応する構成要素に関しては、同一の符号を付してその説明を省略する。
【００６５】
本実施形態のシート付き容器Ｃ３は、例えば、飲食店等において用いられるビール、発泡水などの冷飲料をいれるガラス製グラスとされている。
【００６６】
本実施形態のシート付き容器Ｃ３においては、吸水断熱シート１０は、クジ等の射倖性を励起する表示情報、あるいは、飲料、食事、店舗に関する広告情報などが、折り畳み部１２あるいは蓋部１３の表面および裏面に印刷されている。例えば、吸水断熱シート１０は、剥離紙１０ａに貼り付けられたままで店舗に準備されていることができる。
【００６７】
このような店舗において、特定種類の飲料をオーダーした顧客に、オーダーされたビールなどを注入されたグラスとしての容器Ｃ３に折り畳まれた吸水断熱シート１０を貼り付けて提供する。
【００６８】
蓋部１３を開封することで、表示情報、広告情報を確認するとともに、吸水断熱シート１０において、折り畳み部１２および蓋部１３を延伸して、容器Ｃ３の下部周囲に固定することによって、飲食時に内容物の温度により容器Ｃ３表面に付着する結露水滴および呑みこぼしの水分を吸収するためにテーブル汚し対策とすることができる。
【００６９】
以下、本発明に係る吸水断熱シートおよびシート付き容器の第５実施形態を、図面に基づいて説明する。
図１１は、本実施形態におけるシート付き容器を示す正面図である。
本実施形態において上述した第１〜第４実施形態と異なるのは容器の用途に関する点であり、これ以外の対応する構成要素に関しては、同一の符号を付してその説明を省略する。
【００７０】
本実施形態のシート付き容器Ｃ４は、例えば、ワイン、日本酒、ジュース等の冷飲料をいれるガラスボトルとされている。
【００７１】
本実施形態のシート付き容器Ｃ４においては、吸水断熱シート１０は、ボトルＣ４に収納されたワイン等の銘柄・等級・製造元などを説明する表示情報、あるいは、飲料、食事、店舗に関する広告情報などが、折り畳み部１２あるいは蓋部１３に印刷されている。例えば、吸水断熱シート１０は、容器Ｃ４に貼り付けられて店舗に搬入されてもよいし、剥離紙１０ａに貼り付けられたままで店舗に準備されていることができる。
【００７２】
このような店舗において、特定種類の飲料をオーダーした顧客には、オーダーされたワインなどを封入されたボトルとしての容器Ｃ４に折り畳まれた吸水断熱シート１０が貼り付けられた状態で提供する。この場合、吸水断熱シート１０は、容器Ｃ４上部となる、注ぎ口近傍の縮径部に貼り付けることができる。
【００７３】
蓋部１３を開封することで、表示情報、広告情報を確認できるとともに、吸水断熱シート１０において、折り畳み部１２および蓋部１３を延伸して、容器Ｃ４の周囲に固定することによって、注ぎ口から容器Ｃ４表面を滴下するワイン等の水分を吸収し、ワインボトル等とされる容器Ｃ４のラベルを汚してしまうことがない。
【００７４】
以下、本発明に係る吸水断熱シートおよびシート付き容器の第６実施形態を、図面に基づいて説明する。
図１２は、本実施形態におけるシート付き容器を示す正面図である。
本実施形態において上述した第１〜第５実施形態と異なるのは容器の用途に関する点であり、これ以外の対応する構成要素に関しては、同一の符号を付してその説明を省略する。
【００７５】
本実施形態のシート付き容器Ｃ５は、例えば、コーヒー、紅茶等とされる熱すぎて快適に持つことができない温飲料の入った紙容器とされている。
【００７６】
本実施形態のシート付き容器Ｃ５において、吸水断熱シート１０には、クジ等の射倖性を励起する表示情報、あるいは、飲料、食事、特売、店舗に関する広告情報などが、折り畳み部１２あるいは蓋部１３の裏面に印刷されている。例えば、吸水断熱シート１０は、剥離紙１０ａに貼り付けられたままで店舗、あるいは、露店等に準備されていることができる。
【００７７】
このような飲料販売場所において、特定種類の飲料をオーダーした顧客に、オーダーされたコーヒーなどをその場で注入した紙コップとしての容器Ｃ５に折り畳まれた吸水断熱シート１０を貼り付けて提供する。この場合、吸水断熱シート１０は、容器Ｃ５の上下方向中央付近に貼り付けることができる。
【００７８】
蓋部１３を開封することで、表示情報、広告情報を確認するとともに、吸水断熱シート１０において、折り畳み部１２および蓋部１３を延伸して、容器Ｃ５の周囲に固定することによって、容器Ｃ５を手で掴んだとしても手が容器Ｃ５に直接触れることがなく掴んだ手から熱さを感じることがない。また、樹脂等をほとんど使用せずに、紙製の容器Ｃ５とし、廃棄分別における簡易判断を容易にすることができる。
【００７９】
以下、本発明に係る吸水断熱シートおよびシート付き容器の第７実施形態を、図面に基づいて説明する。
図１３は、本実施形態におけるシート付き容器を示す正面図である。
本実施形態において上述した第１〜第６実施形態と異なるのは容器の用途に関する点であり、これ以外の対応する構成要素に関しては、同一の符号を付してその説明を省略する。
【００８０】
本実施形態のシート付き容器Ｃ６は、例えば、焼きそば、つけめん、スパゲッティなど、一旦注いだ湯を、麺が戻った時点で捨てる、いわゆる湯切り操作を必要とする食品の収納された紙容器とされている。
【００８１】
本実施形態のシート付き容器Ｃ６においては、吸水断熱シート１０は、クジ等の射倖性を励起する表示情報、あるいは、商品、キャンペーン等に関する広告情報などが、折り畳み部１２あるいは蓋部１３の裏面に印刷されて、内側に隠匿されている。例えば、吸水断熱シート１０は、容器Ｃ６側面に貼り付けられた状態で販売される。
【００８２】
商品となるＣ６を開封した時点で表示部１７は視認できる状態ではなく、蓋部１３を開封することで、表示情報、広告情報を確認できる。さらに、吸水断熱シート１０において、折り畳み部１２および蓋部１３を延伸して、容器Ｃ６の周囲に固定する。その後、上部シールを剥がして、湯注入口Ｃ６ａから容器Ｃ６内部に熱湯を注入し、所定時間経過した後、湯切り口Ｃ６ｂから熱湯を捨てる。
【００８３】
この調理操作において、吸水断熱シート１０の断熱効果により、容器Ｃ６を手で掴んだとしても手が容器Ｃ６に直接触れることがなく掴んだ手から熱さを感じることがない。同時に、所定の時間のかかる調理時間の間に、表示情報、広告情報を視認させることができるため、射倖性に富み、アイキャッチの表示効率が高いという効果を奏することができる。
【符号の説明】
【００８４】
１０…吸水断熱シート
１０ａ…剥離紙
１１…貼り付け部
１２，１２ａ，１２ｂ，１２ｃ，１２ｄ，１２ｅ…折り畳み部
１３…蓋部
１４…貼り合わせ部
１５…易剥離部
１６…接着部
１６ｂ…易剥離部
１７…表示部（印刷表示部）
Ｃ，Ｃ１〜Ｃ６…シート付き容器
【図１】
2017178349.tif 000003
【図２】
2017178349.tif 000004
【図３】
2017178349.tif 000005
【図４】
2017178349.tif 000006
【図５】
2017178349.tif 000007
【図６】
2017178349.tif 000008
【図７】
2017178349.tif 000009
【図８】
2017178349.tif 000010
【図９】
2017178349.tif 000011
【図１０】
2017178349.tif 000012
【図１１】
2017178349.tif 000013
【図１２】
2017178349.tif 000014
【図１３】
2017178349.tif 000015